(57)【要約】  留具付きリストバンド（１）は、少なくとも１つの電気または電子構成要素（２３）に接続する電気接続手段（２）を含む。これらの電気接続手段は、リストバンド・ベルトの一端に連結された留具の一部に配置された電気コネクタ（２）を含む。このコネクタは、ユニバーサル・シリアル・バス・タイプであって、留具が開放位置にあるとき、エネルギーおよび／またはデータの伝送を電気または電子構成要素と実施するコンピュータ・ステーションなどの電気装置の相補形状のコネクタに接続できるようになる。このコネクタは、留具が閉鎖位置にあるとき、締め付けピース（６）および蛇腹部（５）によって保護される。
2008529559.tif 000002
【特許請求の範囲】
【請求項１】
少なくとも１つの電気または電子構成要素（２３）と電気的に接続される電気接続手段（２）を含み、前記電気接続手段が、留具の一部に配置された電気コネクタ（２）を含み、前記コネクタが、前記留具が開放位置にあるとき、少なくとも１つの電気または電子構成要素とのデータおよび／または電気エネルギーの伝送を実施する電気装置の相補形状のコネクタに接続することができるように構成された留具付きリストバンド（１）であって、前記リストバンドのベルト（３）の一端に固定された前記電気コネクタが、前記留具の雄型部を形成し、それが、前記留具が閉鎖位置にあるとき、同一ベルトの他端または前記リストバンドの他方のベルトの端部の締め付けピース（６、３７、４３）によって覆われることを特徴とするリストバンド。
【請求項２】
前記電気コネクタが、データ転送用のコンピュータ・ステーションの相補形状のコネクタに接続することができるように、ユニバーサル・シリアル・バス・タイプの電気コネクタであることを特徴とする請求項１に記載のリストバンド。
【請求項３】
前記電気コネクタに電気的に接続された前記電気または電子構成要素を含むことを特徴とする請求項１または２に記載のリストバンド。
【請求項４】
前記留具が前記コネクタによって形成される雄型部を含み、それが、前記留具が前記閉鎖位置にあるとき、雌型部内に挿入されることを特徴とする請求項１から３に記載のリストバンド。
【請求項５】
前記リストバンドの同一ベルトの他端、または前記リストバンドの他方ベルト（４）の一端の前記雌型部が、前記電気コネクタに対して相補形状の空洞（３７；４３）含むことを特徴とする請求項４に記載のリストバンド。
【請求項６】
展開式バックル・タイプの前記留具が、基部（１０ａ、１０ｂ；３０、３１）と、前記基部の両端部にそれぞれ蝶番として取り付けられた２つのストリップ（１１、１２）または２つの肢節部（３２、３３）とを含み、前記第１ストリップ（１１）または前記第１肢節部（３３）が、第１リストバンド・ベルト（３）の端部に連結され、前記第２ストリップ（１２）または前記第２肢節部（３２）が、第２リストバンド・ベルト（４）の端部に連結され、前記電気コネクタが前記第１リストバンド・ベルトの端部に固定されることとを特徴とする前記請求項のいずれか１項に記載のリストバンド。
【請求項７】
前記伸張タイプの基部が、受口（３０）と、前記受口内に部分的に滑り込むことのできる要素（３１）とを含み、その要素が、戻しバネ（３６）によって、前記留具の閉鎖位置の方向に前記受口の内側に部分的に保持され、前記コネクタが、前記第１肢節部（３３）の一部を備えた前記第１ベルト（３）の一端に固定され、前記第２肢節部（３２）が、前記第２ベルト（４）の一端に固定され、前記閉鎖位置で前記第２ベルトを受け取る、前記コネクタに対して相補形状の前記空洞（３７）を含むこととを特徴とする請求項６に記載のリストバンド。
【請求項８】
前記基部が、中央棒部（１７）によって隔てられた２つの平行な腕部（１０ａ、１０ｂ）を含み、前記第１ストリップ（１１）の一端が、前記腕部同士の間に、前記腕部の一端で蝶番として取り付けられ、前記第２ストリップ（１２）の一端が、前記腕部同士の間に前記腕部の第２反対側の端部に蝶番として取り付けられ、前記第１ストリップの他端が、前記第１ベルト（３）の外側表面に固定されたスリーブ（１４）に回転可能に連結され、前記第２ストリップの他端が、前記第２ベルト（４）の一端に固定された締め付けピース（６）に回転可能に連結され、この締め付けピースが、前記留具が前記閉鎖位置にあるとき、前記電気コネクタを覆うことと、前記締付手段が、前記基部内および前記ストリップ上に設けられて、前記閉鎖位置で、各ストリップそれぞれの一部を前記基部内へとロックすることと、前記基部に取り付けられたロック解除ボタン（１３）を手で作動させて、前記ストリップをその閉鎖位置から開放することができることとを特徴とする請求項６に記載のリストバンド。
【請求項９】
前記留具の蛇腹部（５）が、前記締め付けピースの下の前記第２リストバンド・ベルトの一端に固定されて、前記留具が前記閉鎖位置にあるとき、前記電気コネクタを取り囲み、保護することを特徴とする請求項８に記載のリストバンド。
【請求項１０】
前記電気構成要素が、個人データを保存することのできる不揮発性メモリ（２３）であり、前記メモリが、前記電気コネクタに直接固定され、前記コネクタの導電経路（８）に電気的に接続された支持体に配置されることを特徴とする前記請求項のいずれか１項に記載のリストバンド。
【請求項１１】
前記電気コネクタを受け取る前記第１リストバンド・ベルトが、前記留具の自由端からの空洞部を含み、それがベルト長さの少なくとも一部分にわたって延び、この空洞部が、２つの側壁によって隔てられた上壁と底壁によって区画され、前記メモリ支持体付きの前記電気コネクタの一部が、前記空洞部の一部分内に収容され、固定されることとを特徴とする前記請求項のいずれか１項に記載のリストバンド。
【請求項１２】
円形状のいくつかの開口部（２１）が、前記ベルトの寸法を使用者の手首に合わせて調整できるように、前記軟性ベルトの前記空洞部の前記側壁のいずれの側にも規則的に間隔を置いて、前記リストバンドの長さ方向に配置されることを特徴とする請求項１１に記載のリストバンド。
【請求項１３】
前記固定されるコネクタの一部が、前記リストバンドの横断方向にも、前記リストバンドに固定されるように、ピン（２０）が通過するための貫通開口部（２５）を含み、前記空洞部の外側表面に配置されたスリーブ（１４；４４）に、前記ピン（２０）を使用して前記電気コネクタが固定され、前記固定用ピンが、前記リストバンド・ベルトの各側壁それぞれの、前記ベルトの端部に隣接する１つの開口部を通過することとを特徴とする請求項１１または１２に記載のリストバンド。
【請求項１４】
ユニバーサル・シリアル・バス・タイプの前記コネクタ（２）が、外側壁に少なくとも１つの開口部（７）を含み、前記留具の前記雌型部の固定用ユニット（４５）のロック部材（４６）の少なくとも１つのフック（４６ａ）と協働して、前記コネクタが前記固定用ユニットの相補形状の空洞（４３）に収容されるとき、前記留具を前記閉鎖位置で保持することになり、前記固定用ユニットの外側の前記ロック部材の一部を手で作動させて、前記留具を開くことができることを特徴とする請求項４に記載のリストバンド。
【請求項１５】
前記請求項のいずれかに記載の留具付きリストバンド（１）を含み、前記リストバンドの電気接続手段に電気接続される少なくとも１つの電気または電子構成要素（５２）を含み、前記電気接続手段が前記留具の一部に配置された電気コネクタ（２）を含み、前記コネクタが、前記留具が開放位置にあるとき、電気エネルギーおよび／またはデータの伝送を実施する電気装置の相補形状のコネクタに接続することができるように構成される時計（５０）であって、リストバンドの一方のベルト（３）の一端に固定された前記電気コネクタが、前記留具の雄型部を形成し、それが、前記留具が閉鎖位置にあるとき、同一ベルトの他端または前記リストバンドの他方のベルトの一端の締め付けピース（６、３７、４３）によって覆われることを特徴とする時計（５０）。
【請求項１６】
前記電子構成要素が、前記時計のケース（５３）の内側に配置される不揮発性メモリであり、前記構成要素が、接続路バス（５４）によって、前記留具の一部に配置された前記電気コネクタに電気接続され、前記電気コネクタが、ユニバーサル・シリアル・バス・タイプ・コネクタであって、データ転送用のコンピュータ・ステーションの相補形状のコネクタに接続することができることを特徴とする請求項１５に記載の時計（５０）
【発明の詳細な説明】
【技術分野】
【０００１】
本発明は、少なくとも１つの電気または電子構成要素に接続される電気接続手段を備える留具付きブレスレットまたはリストバンドに関する。このリストバンドは、有利には腕時計などの携帯用品のリストバンドである。その場合、電気または電子構成要素は、携帯用品のケース、またはリストバンドに収容される。
【背景技術】
【０００２】
本発明はまた腕時計であって、留具と、電気接続手段に電気的に接続された少なくとも１つの電気または電子構成要素とを含む時計にも関する。
【０００３】
「電気または電子構成要素」とは、特定の機能を実行する任意の電気要素または電子要素を意味するが、これらに限定されない。これは例えば、電池またはエネルギー・アキュムレータや、電子回路または集積回路などである。
【０００４】
リストバンドまたは腕時計では２つのタイプの留具が通常使用されている。これらは、所謂オープン・リストバンドまたはクローズド・リストバンド用の留具である。
【０００５】
従来のオープン・リストバンド用の留具は、リストバンドの一方のベルトの自由端部に心棒を使用して固定された突起物とバックルを含む。他方のベルトの自由端部は、バックルの下を通され、前記他方のベルトに作られた穴の１つを通り抜ける突起物によって固定される。ループを設けて、他方のベルトの自由端部を固定することもできる。
【０００６】
従来のクローズド・リストバンド用の留具は、展開式バックル・タイプのものである。一般的に、展開式バックル付きの留具は、その最も簡単な形態では、少なくとも１つのピボット回転するストリップが折り畳み可能となる基部ストリップを含む。これらのストリップは、それらの一方の端部に蝶番を用いることによって相互に取り付けられる。キャッチ・デバイスなどの締付手段が、通常、ストリップ同士を閉鎖位置で相互にフックで留めることができる。
【０００７】
リストバンドまたは腕時計は、使用者の手首に毎日装着される用品であるので、それらに、時計回路以外の特定の機能を実行する様々な電気または電子構成要素を取り付けることが提案されている。そうしたものには、アキュムレータや特にデータ伝送用の電子回路などの構成要素が含まれる。リストバンドによって担持され、またはそれと一体化される様々な構成要素と、時計ケースに含まれる構成要素との間でも電気的な接続が行われる。
【０００８】
アキュムレータに充電したり、または電気装置と時計ケースに配置された少なくとも１つの電子回路との間でデータを伝送するために、特殊な電気接続手段を時計ケースに通して設けなければならないことがある。したがって、この電子接続を介して、その電気装置が充電器である場合には時計のアキュムレータに充電し、または時計の電子回路と電気装置の間でデータを転送することも可能である。
【０００９】
しかし、これらの知られている接続手段は、電気装置と１つまたは複数の電子構成要素との間に電気接続を設ける以外の他の機能を有さない。ケースを通して、またはリストバンドの一方のベルトに作られる接続手段は、腕時計またはリストバンドの審美的外観に関して一般に不利である。さらに、接続手段は、電気装置に接続されないときは、理論上は、特定の機能を実行しなければならない１つまたは複数の電子構成要素に支障をきたさないように、保護されなければならない。
【００１０】
これに関して、米国特許第４，３２３，９９６号を挙げることができるが、これは、ケース内の電子回路と、その電子回路に接続された電気接続手段とを含む電子腕時計を開示している。これらの電気接続手段は、特に電気接触子によって形成され、腕時計ケースの裏蓋の下に配置される。接続手段のコネクタ・キャップが、ケースの下に固定されて、接触子と接続する。電気装置との電気接続を形成するために電気ケーブルが、コネクタ・キャップに接続され、コネクタで終端する。
【００１１】
米国特許第４，３２３，９９６号で開示されている腕時計の１つの欠点は、電子回路を、ケースの裏蓋の電気接触子を介して電気装置に電気的に接続するために、キャップなどの追加の保護要素を時計ケースの裏蓋に加えなければならないということである。この追加のキャップは、時計の厚みを不必要に増大し、時計の審美的外観に関して不利である。
【発明の開示】
【発明が解決しようとする課題】
【００１２】
したがって、本発明の目的は、上述の従来技術の欠点を克服する電気接続手段を含む留具付きのリストバンドまたはブレスレットを提供することである。この接続手段は、前記リストバンドが使用者の手首に装着されたとき、リストバンドの審美的外観を損なわないようにリストバンドに配置される。
【課題を解決するための手段】
【００１３】
したがって本発明は請求項１に述べる特徴を含む留具付きリストバンドに関する。即ち、少なくとも１つの電気または電子構成要素と電気的に接続される電気接続手段を含み、前記電気接続手段が、留具の一部に配置された電気コネクタを含み、前記コネクタが、前記留具が開放位置にあるとき、少なくとも１つの電気または電子構成要素とのデータおよび／または電気エネルギーの伝送を実施する電気装置の相補形状のコネクタに接続することができるように構成される留具付きリストバンドであって、前記リストバンドのベルトの一端に固定された前記電気コネクタが前記留具の雄型部を形成し、それが、前記留具が閉鎖位置にあるとき、同一ベルトの他端または前記リストバンドの他方のベルトの端部の締め付けピースによって覆われることを特徴とする
【００１４】
本発明による留具付きリストバンドの１つの利点は、電気コネクタが、使用者の手首に装着されるリストバンドの留具の一部に配置されることである。その結果、留具が閉鎖位置にあるとき、リストバンドの審美的外観を損ねずに、それを機械的損傷または周囲環境の影響から保護することができる。
【００１５】
リストバンド留具は、２つのストリップが基部の各端部に蝶番として取り付けられる基部を備えた展開式バックルを有する。各ストリップの他端は、リストバンドの各ベルトの一端、あるいはリストバンドの同一ベルトの両端に蝶番として取り付けられる。留具が閉鎖位置にあるとき、従来型キャッチ・デバイスなどの締付手段が、基部の一部で各ストリップそれぞれの一部を遮断する。例えば基部に配置されたボタンを手で起動して、ストリップを放して、留具を開けることができる。留具の蛇腹部も、リストバンドの一方のベルトの一端に固定して、留具が閉鎖位置にあるとき、電気コネクタを閉鎖し、保護することができる。
【００１６】
リストバンドの一方の一端に配置された電気コネクタは、それが相補形状のコンピュータ・ステーション・コネクタに接続することができるように、ユニバーサル・シリアル・バス・タイプのものであることが好ましい。
【００１７】
電気構成要素は、不揮発性メモリ、例えばフラッシュ・メモリでよく、それは、前記リストバンドを装着する人の個人データを含むことができる。このメモリは、電気コネクタに直接接続される軟性または剛性の支持体に配置することができる。
【００１８】
好ましくは、電気コネクタを受け取るリストバンドのベルトは、留具に連結された端部から、ベルトの長さの少なくとも一部分にわたって延びる空洞部を含む。この空洞部は、２つの側壁によって隔てられた上壁と底壁によって区画される。メモリ・サポート付きの電気コネクタの一部が、空洞部の一部分に収容される。コネクタのこの一部は、リストバンドの横断方向に、それをリストバンドに固定するピンが通過するための開口部も含むことができる。
【００１９】
円形状のいくつかの規則的に離隔された開口部が、軟性ベルトの空洞部側壁のいずれの側にも、リストバンドの縦方向に設けられている。このようにして、リストバンドの留具が固定されるコネクタの一部を組み立てる前に、リストバンドの寸法を、空洞部の一部分を切断することによって使用者の手首に合わせることができる。この操作の後、固定用ピンが、留具のスリーブと、リストバンドのベルトの各側壁それぞれの１つの開口部と、固定されるコネクタの一部の開口部とを通過する。
【００２０】
留具は、有利には、雄型部と、雄型部に対して相補的形状である雌型部とを含み、それによってリストバンドの閉鎖位置で、雄型部を雌型部に挿入することができる。留具の電気コネクタは、例えば雄型部である。
【００２１】
展開式バックル付きの留具の場合、基部は伸張可能である。これを行なうために、留具は、受口と、その受口内に部分的に滑り込むことが可能な要素とを含む。その要素は、戻しバネによって受口の内部に部分的に保持される。留具の第１肢節部は、受口から離れる要素の一部の一端に蝶番で取り付けられ、留具の第２肢節部は、受口の反対端部に蝶番で取り付けられる。第１肢節部は、第１ベルトの一端に固定され、第２肢節部は、第２ベルトの一端に固定される。受口の戻しバネは、要素を受口の内部に向けて引っ張り、それによって、雄型部としてのコネクタが第２ベルトの雌型部内に挿入されるとき、留具を閉める。
【００２２】
留具の雄型部として、電気コネクタは、留具締付手段の一部を形成する外部壁に、少なくとも１つの開口部も含むことができる。留具が閉鎖位置にあるとき、留具の雌型部をロックする部材の一端が、雄型部の開口部内に導入される。ロック部材は、雌型部の回転軸の周囲に回転可能に取り付けられ、留具を開けるために、バネの戻り力に抗して手で起動させることができる。
【００２３】
本発明のさらなる目的は、上述の従来技術の欠点を克服する電気接続手段を含む腕時計を提供することである。この接続手段は、それが使用者の手首に装着されるとき、腕時計の審美的外観を損なうのを避けるように、リストバンドに配置される。
【００２４】
本発明は請求項１５に記載する特徴を含む腕時計にも関する。即ち、いずれかの留具付きリストバンドを含み、そのリストバンドの電気接続手段に電気接続される少なくとも１つの電気または電子構成要素を含み、前記電気接続手段が前記留具の一部に配置された電気コネクタを含み、前記コネクタが、前記留具が開放位置にあるとき、電気エネルギーおよび／またはデータの伝送を実施する電気装置の相補形状のコネクタに接続することができるように構成される時計であって、リストバンドの一方のベルトの一端に固定された前記電気コネクタが、前記留具の雄型部を形成し、それが、前記留具が閉鎖位置にあるときに、同一ベルトの他端または前記リストバンドの他方のベルトの一端の締め付けピースによって覆われることを特徴とする
【００２５】
この腕時計は、ケース内に、時計回路以外の電気または電子構成要素を含むことができるので有利である。この構成要素は、導電経路によって、ケースとリストバンドの一方のベルトを通って、留具の一部に配置された電気コネクタに電気接続される。留具が開放位置にあるとき、コネクタを、エネルギーおよび／または一方向もしくは両方向にデータを転送するコンピュータ・ステーションなどの電気装置の相補形状のコネクタに接続することができる。
【００２６】
このリストバンドまたは腕時計の目的、利点、および特徴が、図面と併せて、本発明の実施形態の以下の記述からより明らかとなろう。
【発明を実施するための最良の形態】
【００２７】
以下の記述では、リストバンドまたは腕時計の留具を開放し、閉鎖する様々な機械的手段については詳しく説明しないが、それは、それらがこの技術分野の当業者の一般的知識の一部を形成するものだからである。
【００２８】
本発明による留具付きリストバンドまたは腕時計の全ての要素の寸法を、図面では正確に示していないことに留意されたい。これらの要素は、純粋に例示として示すものであり、したがって、本発明の範囲内で多数の寸法上の変更を行なうことができる。
【００２９】
図１ａ、１ｂでは、展開式バックルを有する留具１を備えたリストバンドの第１実施形態を、閉鎖位置と開放位置で示す。このリストバンドは、腕時計で使用される場合、単一ベルトまたは２本のベルト３、４を備える。このリストバンドは、展開式バックル・タイプの留具１を含み、その一部はベルト３の一端に、別の部分はベルト４の一端に固定される。ここに示さない各ベルトそれぞれの他端は、従来通りに腕時計のケースに回転可能に取り付けることができる。電気コネクタ２などの電気接続手段は、留具の一部としてベルト３の端部に配置される。
【００３０】
展開式バックル付きの留具１は、特にＨ形状の堅固な基部ストリップと、基部ストリップのそれぞれの端部の一方にそれぞれ蝶番で取り付けられる２つの堅固なストリップ１１、１２とを含む。この基部ストリップは、中央棒部１７によって相互に隔てられる２つの並行な腕部１０ａ、１０ｂから形成される。したがって、各ストリップ１１、１２の第１端部は、回転軸１５、１６の周りで、腕部１０ａ、１０ｂそれぞれの端部同士の間でピボット回転可能に取り付けられる。
【００３１】
ストリップ１１の第２端部は、留具１をベルト３の一端に固定するスリーブ１４に回転可能に連結され、他方のストリップ１２の第２端部は、ベルト４の一端に固定された締め付けピース６に回転可能に連結される。この締め付けピースは、Ｕ字形の横断面を有することが好ましい。
【００３２】
ストリップ１１、１２は、知られている形で、図１ａ、１ｂに示さない締付手段も含むが、それらは、留具が閉鎖位置にあるとき、腕部１０ａと１０ｂの間に配置されるノッチ・デバイスと協働するものである。基部ストリップのボタン１３を、手で押して、ピボット回転ストリップがそれらの閉鎖位置から開放されるようにする。
【００３３】
リストバンドのベルト３は、少なくとも留具側の一端に空洞部を含み、それによって電気接続手段２を留具の一部として取り付けることができる。この空洞部は、ベルト３の長さの少なくとも一部分にわたって延びる。この空洞部は、２つの側壁によって隔てられる上壁と底壁によって形成される。
【００３４】
いくつかの規則的に離隔された開口部２１が、軟性ベルトの空洞部の側壁のいずれの側にも、リストバンドの長さ方向に作られる。各側壁それぞれに開口部を含むスリーブ１４は、ピン２０によってベルト３に固定することができるが、ピン２０は、ベルト３の端部に近接した空洞部の各側壁それぞれの開口部の１つを通過する。図２を参照して説明したように、リストバンドの使用者の手首に前記リストバンドの寸法をあわせるように、ベルト３を切断することができる。
【００３５】
接続手段を、ユニバーサル・シリアル・バスすなわちＵＳＢ２によって形成することが好ましい。したがって、本コネクタ２は、コンピュータ・ステーションなどの電気装置の相補形状のコネクタに接続して、リストバンドの構成要素または電子回路とデータを伝送することができる。
【００３６】
コネクタ２は、支持プレートに配置されたある種の電気接続金属性導電経路８を含む。この支持プレートは、方形横断面の好ましくは金属性の管状部の内側に配置される。この管状部は、上と下に配置される開口部７を含む。これらの開口部は、図４ａ、４ｂを参照して説明する締付手段の一部を形成している。
【００３７】
コネクタ２が、相補形状のコネクタ、特にコンピュータ・ステーションに接続されるとき、金属経路８はコンピュータ・ステーションのコネクタのそれぞれの経路と接触する。このようにして、コンピュータ・ステーションと、コネクタに接続された電子構成要素との間で、データおよび／またはエネルギーの伝送を達成することができる。
【００３８】
電気コネクタ２の一部は、固定用ピン２０が通過するための、リストバンドの横断方向に配置された通し開口部を含む。ベルト３の寸法が一旦調整されると、コネクタ２のその一部は、ベルト３の空洞部内に導入されて、ピン２０によってベルト３の端部にスリーブ１４と共に固定される。空洞部内に導入されたコネクタ２の一部は、ベルト３の端部にしっかりと固定されるように、前記空洞部の内側表面と接触することが好ましい。
【００３９】
留具が閉鎖位置にあるときにコネクタ２を保護するために、蛇腹部５をベルト４の端部に設けることができる。これらの蛇腹部は、閉鎖位置でスリーブ１４に対して僅かに圧縮されて、電気コネクタ２を封じ込める。この閉鎖部６は、蛇腹部を取り囲み、留部を締め付けるのを容易にして、ストリップ１１、１２の一部を、腕部１０ａ、１０ｂに対して保持する。
【００４０】
当然ながら、閉鎖部６とスリーブ１４は、ストリップ１１、１２とノッチ・デバイスの締付手段に代わる、ここに示さない相補的締付手段を含むことができる。そのような場合は、ボタン１３は必要なくなる。
【００４１】
図２では、最終的に取り付けられる前の、ベルト３の側の留具の要素を分解図で部分的に示す。
【００４２】
不揮発性メモリ２３などの電子構成要素が、導電経路支持体２２に取り付けることができることに留意されたい。このメモリは、フラッシュ・メモリであることが好ましく、これには、例えばリストバンドの使用者に関係する個人情報を保存することができる。この支持体は、電気装置との接続に使用される端部と反対側の電気コネクタ２の一端に直接接続される。電気接続が、カプセル型メモリの金属性接続ラグと、コネクタ２の導電経路８との間で、知られている形で作られる。
【００４３】
スリーブとコネクタを、ピン２０を使用してベルト３の様々な位置に固定するために、規則的に離隔された円形開口部２１が、ベルト３の各側壁それぞれに作られている。スリーブ１４とコネクタ２をベルト３の端部に固定する前に、リストバンドの寸法を使用者の手首に合わせるように、ベルト３を切断することが可能である。リストバンドのサイズを調整するために、ベルトを例えばどこで切断することができるのかを示すために、図２で点線をベルト３上に示す。
【００４４】
ベルト３を所望の寸法に切断した後、スリーブ１４の開口部２４が空洞部の各側壁それぞれの開口部に向き合うように、スリーブをベルト３の空洞部の端部で外側に配置する。スリーブの内側部の形状は、空洞部の外側表面と直接接触するように適合されている。
【００４５】
続いて支持体２２が、固定されるコネクタ部の貫通開口部２５がスリーブ１４の開口部と向い合うまで、空洞部内に導入される。最後に、留部のこの部分を固定するために、ピン２０を、スリーブ１４の開口部２４の一方から、空洞部のそれぞれの開口部２１と、コネクタの開口部２５とを通過して、他方開口部２４まで挿入する。
【００４６】
留具付きリストバンドの第２実施形態を図３ａから３ｃに示す。各リストバンドのベルトそれぞれの一端を連結する留具は、展開式バックル・タイプのものである。
【００４７】
先に述べたものとは異なる留具付きリストバンドの要素についてしか、ここに述べないことに留意されたい。第１実施形態の要素と同一の第２実施形態の要素は、同一の参照番号を有する。
【００４８】
第２実施形態では、留具の基部は伸張可能である。これを行なうために、この基部は、湾曲した受口３０と、その受口内に部分的に滑り込むことのできる湾曲した要素３１とを含む。
【００４９】
留具の第１肢節部３３は、受口から延びている要素の部分の端部で、回転軸３４の周りに蝶番として取り付けられ、留具の第２肢節部３２は、受口３０の反対側の端部で、回転軸３５の周りに蝶番として取り付けられている。第１肢節部３３はベルト３の一端に固定され、第２肢節部３２は第２ベルトの一端に固定される。第１肢節部は、ピン２０によってベルト３に固定することができるが、ピン２０は、電気コネクタ２が取り付けられたベルト３の端部に近接した、ベルト３の各側壁それぞれの開口部を通過する。
【００５０】
雄型部としてのコネクタ２が、ベルト４の端部で雌型部を形成する区画３７内に挿入されるとき、受口の戻しバネ３６は、留具を閉鎖するように、要素３１を受口の内側に向けて引っ張る。受口３０と滑り要素３１が湾曲していることを考えると、この区画の寸法は、電気コネクタを、それが前記区画内に導入され、またはそこから取り出されるときにそれを損傷することを避けるために、充分なものでなければならない。
【００５１】
図３ａでは、留具は完全に開いており、要素３１は受口３０の戻しバネを圧縮している。この戻しバネは圧縮バネである。当然ながら、留具のこの位置は、各要素３３、３４を引っ張ってバネ３６を圧縮することによって、手作業で得ることができる。留具を閉鎖するために、肢節部３３、３２を、矢印によって示すように、受口と滑り要素の方へ折らなければならない。
【００５２】
図３ｂでは、肢節部３２、３３が、受口３０と滑り要素３１へ折られているのを示す。この開放位置では、電気コネクタ２は、それを受け取るべき区画３７に向けられる。矢印は、コネクタ２が、区画３７の方向に移動して、留具を締めることを示す。
【００５３】
最後に図３ｃでは、リストバンドの留具は閉鎖位置で取り付けられ、雄型部として働く電気コネクタが、雌型部として働く区画３７に収容される。戻しバネ３６は、一方または他方の肢節部３２、３３に対して手動操作なしでこの閉鎖位置を維持する。
【００５４】
留具が開放位置にある、留具付きリストバンドの第３実施形態を図４ａ、４ｂに示す。この第３実施形態のリストバンドは、開放タイプ、即ち開放位置におかれ、ベルト３の端部に固定された留具の一部は、ベルト４の端部に固定された留具の一部から分離される。
【００５５】
前述のように、以上に述べたものとは異なる留具付きリストバンドの要素しか、ここに詳しく説明しない。第１、第２実施形態の要素と同一の、この第３実施形態の要素は、同一の参照番号を有する。
【００５６】
堅固なスリーブ４４が、ベルト３の空洞部の端部とユニバーサル・シリアル・バス・タイプの電気コネクタ２に取り付けられて、留具の雄型部を形成する。このスリーブ４４は、空洞部の外側表面に配置され、電子構成要素を支持する支持体を備えたコネクタ２の一部が空洞部内に挿入される。
【００５７】
図２を参照して説明したように、固定用ピン２０がスリーブ４４の開口部を通過し、各側壁それぞれの一開口部は、ベルト３の端部にあり、一つの貫通開口部が電気コネクタに形成される。空洞部内に導入されるコネクタ２の一部は、空洞部の内側表面と接触して、ベルト３の端部でしっかりと保持される。
【００５８】
この第３実施形態では、雄型部として働く電気コネクタ２の開口部７は、留具締付手段の一部を形成する。
【００５９】
留具の他方の雌型部は、ベルト４の端部に固定される。留具のこの雌型部は固定用ユニット４５を含み、そこにコネクタに対して相補形状である空洞４３が作られており、留具の閉鎖位置でコネクタを受け取る。ロック部材４６が、リストバンドに横断方向に配置された回転軸４０の周りで回転可能にユニット４５に取り付けられる。ロック部材の前方端部の２つのフック４６ａは、留具締付手段の一部を形成して、留具の閉鎖位置でコネクタ開口部内に挿入させることが可能である。固定用ユニット４５の外側に配置されたこの部材の後部は、ここに示さない留具を開放するバネの戻り力に抗して、手で作動させることができる。ロック部材の後部停止要素が、固定用ユニット４５の内側停止要素と接触して、ロック部材を、バネの力によって閉鎖位置に保持する。
【００６０】
図５は、図４ａ、４ｂを参照して述べたタイプのリストバンドが設けられた腕時計５０を示す。この腕時計は、ケース５３の周りに配置された選択ボタン５１と、そのケース５３の内部の時計ムーブメントまたは時計回路と、電気または電子構成要素５２とを含む。接続経路バス５４が、電気コネクタ２の金属経路を、ケースの内側に配置された電気構成要素もしくは電子構成要素に、知られた方式で接続する。留具が開放位置にあるとき、電気コネクタ２を、電気装置の相補形状のコネクタに接続することができるが、その装置には、データおよび／もしくは電気エネルギーの伝送を実施するコンピュータ・ステーションまたは充電器などがある。
【００６１】
以上に挙げた記述から、留具付きリストバンドまたは腕時計の多数の変化形態を、特許請求の範囲によって定義される本発明の範囲から逸脱せずに、当業者によって考案することができる。このリストバンドは、リストバンド・ベルトの一方と一体化された導電経路を備えた電気接続手段だけを備えることができ、その導電経路は携帯用品のケースに収容された構成要素と電気接続を確立する。このリストバンドは、単一のベルトによって形成することができ、その端部に、電気コネクタ付きの留具が配置される。この電気コネクタは、ユニバーサル・シリアル・バスまでの様々なタイプのものであることができ、スリーブなしで、一方のベルトの端部に直接固定することができ、そのベルトは、側壁に空洞部または開口部を有さない。
【図面の簡単な説明】
【００６２】
【図１】本発明の第１実施形態による、留具の展開式バックルが閉鎖された位置の、留具を有するリストバンドの一部の側面図、および、開放位置の、留具付きリストバンドの一部の立体図面である。
【図２】図１ａ、１ｂのリストバンド・ベルトの端部の、電気コネクタ付きリストバンド留具の要素の、組み立て前の部分的分解図である。
【図３】本発明の第２実施形態による、留具の展開式バックルが開いた位置の、留具付きのリストバンドの一部の２つの側面図、および、閉鎖位置の留具付きのリストバンドの一部の側面図である。
【図４】本発明の第３実施形態による、閉鎖位置の、留具付きリストバンドの一部の側面図および上面図である。
【図５】図５は、図４ａおよび４ｂによる留具付きリストバンドを含む、本発明による腕時計の底面図である。
2008529559.tif 000003
【図２】
2008529559.tif 000004
2008529559.tif 000005
2008529559.tif 000006
【図５】
2008529559.tif 000007
【国際調査報告】
2008529559.tif 000008
2008529559.tif 000009
2008529559.tif 000010
2008529559.tif 000011
2008529559.tif 000012
2008529559.tif 000013